(57)【特許請求の範囲】
【請求項１】
下部に容器口部に装着するキャップ基部を有しその上部に摺動栓を設け、該摺動栓の周りを覆うオーバーキャップを前記キャップ基部に着脱容易に嵌合するように構成したスポーツキャップを容器に装着し、該容器のスポーツキャップ装着不良を検出する方法であって、
被検査容器を直線搬送し、搬送されて来た被検査容器のスポーツキャップの基部又は被検査容器の口部を第１の光センサーで検出し、該第１の光センサーが前記スポーツキャップの基部の検出を開始する直前に、第２の光センサーでオーバーキャップの検索を開始すると共に、第３の光センサーでオーバーキャップの僅か上方を検索し、前記第１の光センサーが検出信号を発生している期間中に前記第２の光センサーが何も検出しないとき又は前記第３の光センサーが検出信号を出したとき、及び前記第１の光センサーが検出信号を開始した後に前記第２の光センサーが検出信号を開始したときにスポーツキャップの装着不良と判定することを特徴とするスポーツキャップ装着不良容器の検出方法。
【請求項２】
下部に容器口部に装着するキャップ基部を有しその上部に摺動栓を設け、該摺動栓の周りを覆うオーバーキャップを前記キャップ基部に着脱容易に嵌合するように構成したスポーツキャップを容器に装着し、該容器のスポーツキャップ装着不良を検出する装置であって、
被検査容器を直線搬送するコンベアーと、該コンベアーで搬送されて来た被検査容器のスポーツキャップの基部又は被検査容器の口部を検出する第１の光センサーと、該第１の光センサーがスポーツキャップの基部を検出する直前に前記スポーツキャップのオーバーキャップを検出するように設けられた第２の光センサーと、前記オーバーキャップの僅か上方を検索する第３の光センサー及びこれらの光センサーからの検出信号の組合せによってスポーツキャップ装着不良を判定する判定回路とを有する検出機と、該検出機のコンベアー下流側に該検出機からの排出信号を受けてスポーツキャップ装着不良と判定した容器を前記コンベアー上から排出する排出機とを設置したことを特徴とするスポーツキャップ装着不良容器の検出装置。
【発明の詳細な説明】
【０００１】
【発明の属する技術分野】
本発明は、ＰＥＴボトル等の容器に、スポーツキャップが正しく装着されているか否かを検出する方法及びその装置に関するものである。
【０００２】
【従来の技術】
近年、スポーツドリンクの需要が高まり、スポーツドリンクの容器としてＰＥＴボトルにスポーツキャップを装着したものが多量生産されるようになった。このスポーツキャップの断面を図２に示す。
スポーツキャップＡは、容器の口部の雄螺子に螺合する雌螺子を形成したキャップ基部Ｃの先端に摺動栓Ｄを装着し、その周りを覆う半透明のオーバーキャップＥをキャップ基部Ｃに着脱容易に嵌合したものであって、スポーツドリンクを充填したＰＥＴボトルにスポーツキャップを装着した状態で市場に供給される。
この容器の使用方法は、オーバーキャップＥを取外し、摺動栓Ｄを口にくわえて少し引上げると、キャップ基部Ｃの先端部が開口する。スポーツドリンクを飲んだ後、オーバーキャップＥをキャップ基部Ｃに装着すると、摺動栓Ｄを押込んで閉栓する。
【０００３】
特公昭５７−３８１２９号公報には、容器にキャップが正しく装着されているか否かを判別する方式として、光電管等を利用した無接点方式のものと、検出スイッチを利用した有接点方式のものとが知られている旨と、従来の有接点方式を改良したミスキャップ容器の検出装置が記載されている。
この装置は、容器部分とキャップ部分とにそれぞれ接触する検出部材をそれぞれ独立して作動可能に、かつ、ミスキャップ容器の検出時には上記両検出部材の相対移動が発生するように設置し、この両検出部材の相対移動で作動される検出スイッチを設けた点を特徴とするものである。
【０００４】
【発明が解決しようとする課題】
上記のミスキャップ容器の検出装置では、キャップと容器にそれぞれ検出部材を接触させるため、キャップと容器に接触痕が着く恐れがあり、この方式の検出装置をスポーツキャップに適用すると、検出時に検出部材でオーバーキャップを外してしまったり、ずらせてしまう問題が発生する。更に、スポーツドリンクを無菌状態で容器に充填する場合には、検出部材を消毒する必要も生じる。
【０００５】
したがって、スポーツキャップを装着したミスキャップ容器の検出装置は、接触方式のものは使用し難いので、光電管等を利用した無接触方式のものの採用が考えられる。
しかし、上記従来のミスキャップ容器の検出装置は、検査対象が容器に単一のキャップを被せたものであるから、そのミスキャップを光電管等を利用した無接触方式で検出する構成とするのは容易であるが、スポーツキャップでは摺動栓Ｄを備えたキャップ基部ＣとオーバーキャップＥの２部材について正しく装着されているか否かを検査する必要が生じ、特にオーバーキャップＥは、キャップ基部Ｃから外れたり、ずれ易い問題がある。
【０００６】
本発明は、３組の光センサーを使用する無接触方式であって、スポーツキャップのキャップ基部とオーバーキャップの二つの部材についてその装着の有無と、オーバーキャップについてはその装着のずれの検知も可能としたスポーツキャップ装着不良容器の検出方法とその装置を提供することを目的とするものである。
【０００７】
【課題を解決するための手段】
本発明の方法は、下部に容器口部に装着するキャップ基部を有しその上部に摺動栓を設け、該摺動栓の周りを覆うオーバーキャップを前記キャップ基部に着脱容易に嵌合するように構成したスポーツキャップを容器に装着し、該容器のスポーツキャップ装着不良を検出する方法であって、
被検査容器を直線搬送し、搬送されて来た被検査容器のスポーツキャップの基部又は被検査容器の口部を第１の光センサーで検出し、該第１の光センサーが前記スポーツキャップの基部の検出を開始する直前に、第２の光センサーでオーバーキャップの検索を開始すると共に、第３の光センサーでオーバーキャップの僅か上方を検索し、前記第１の光センサーが検出信号を発生している期間中に前記第２の光センサーが何も検出しないとき又は前記第３の光センサーが検出信号を出したとき、及び前記第１の光センサーが検出信号を開始した後に前記第２の光センサーが検出信号を開始したときにスポーツキャップの装着不良と判定するスポーツキャップ装着不良容器の検出方法である。
本発明の装置は、下部に容器口部に装着するキャップ基部を有しその上部に摺動栓を設け、該摺動栓の周りを覆うオーバーキャップを前記キャップ基部に着脱容易に嵌合するように構成したスポーツキャップを容器に装着し、該容器のスポーツキャップ装着不良を検出する装置であって、
被検査容器を直線搬送するコンベアーと、該コンベアーで搬送されて来た被検査容器のスポーツキャップの基部又は被検査容器の口部を検出する第１の光センサーと、該第１の光センサーがスポーツキャップの基部を検出する直前に前記スポーツキャップのオーバーキャップを検出するように設けられた第２の光センサーと、前記オーバーキャップの僅か上方を検索する第３の光センサー及びこれらの光センサーからの検出信号の組合せによってスポーツキャップ装着不良を判定する判定回路とを有する検出機と、該検出機のコンベアー下流側に該検出機からの排出信号を受けてスポーツキャップ装着不良と判定した容器を前記コンベアー上から排出する排出機とを設置したスポーツキャップ装着不良容器の検出装置であり、この装置における検出機の判定回路は、前記本発明方法と同じ方法によりスポーツキャップ装着不良を判定する。
【０００８】
【発明の実施の形態】
図１は本発明のスポーツキャップ装着不良容器の検出装置の正面図である。
図中の１は、容器ＢにスポーツキャップＡを装着するキャッパーで、このキャッパー１でスポーツキャップＡが装着された被検査容器Ｂは、コンベア２で矢印方向へ搬送され、検出機４に設けられた３組の光センサー３を一定速度で横切って搬送されるときに、スポーツキャップ装着不良容器の検出が行われ、検査済み容器Ｂが搬送されるコンベア２の下流側方に排出機５が設置されている。
【０００９】
検出機４がスポーツキャップ装着不良と判定して排出信号を発信したとき、この信号を受けた排出機５は、その上流側に設置された光センサー１１で不良と判定された容器Ｂが排出機５の前に来たことを検知し、エアシリンダーで押出し板を紙面と直角方向に押出して、不良と判定された容器Ｂをコンベア２上から排出する。
なお、この排出が適正に行われたか否かを監視する光センサー１２が排出機５の前方に設置されていて、ミスキャップ容器が排出されないことを検知したときに警報を出す。
【００１０】
次に、検出機の詳細を図３及び図４で説明する。図３は光センサーを使用した検出機の側面図、図４は図３のスポーツキャップと光センサーとの位置関係を示す説明図である。
検出機は、それぞれ投光部と受光部とを有する３組の光センサー６，７，８を備え、これらの光センサーは、透過型ファイバーセンサーを用いるのが好適である。
【００１１】
図３において、被検査容器Ｂは、矢印で示す紙面に直角な方向に一定速度で搬送される。光センサー６は、その投光部と受光部間の光束がスポーツキャップのキャップ基部Ｃを横切る高さに設置し、光センサー７はその光束がオーバーキャップＥを横切り、光センサー８はその光束がＥ頂面から１mm上方を通過する高さに設置する。
この各光センサー６，７，８とスポーツキャップとの被検査容器Ｂの搬送方向における相対位置関係は、図４に矢印で示す被検査容器Ｂの搬送方向に対して、光センサー６は、光センサー７，８に対して少し下流側とし、光センサー６によるキャップ基部Ｃの検出が始まる少し前に、光センサー７によりオーバーキャップＥの検出開始が可能となるように設置してある。
各光センサー６，７，８は、それぞれアンプ９を介して判定回路１０に接続される。
【００１２】
次に、各光センサー６，７，８の検出作用について説明する。
光センサー６は、被検査容器がその検査位置に搬送されて来たときに、スポーツキャップのキャップ基部Ｃを検出する。また、被検査容器にスポーツキャップが装着されていないときは、被検査容器の口部を検出する。したがって、光センサー６は、検査ボトルが検査位置に搬送されて来ているタイミングを示すことになる。
光センサー７は、被検査容器にスポーツキャップが正常に装着されているときには、光センサー６がキャップ基部Ｃを検出するよりも少し早くオーバーキャップＥを検出してその信号が出される。オーバーキャップＥが装着されていないときには摺動栓Ｄを検出することとなるが、その場合の光センサー７の信号を出すタイミングは光センサー６の信号発生開始時より遅れる。
光センサー８は、被検査容器にスポーツキャップが正常に装着されているときには信号を出さないが、オーバーキャップＥがキャップ基部Ｃから外れて浮き上がり、光センサー８の光束を遮断したときに信号を出す。
【００１３】
次に、検出機による被検査容器にスポーツキャップが正常に装着されているか否かの判定方法について説明する。図５Ａ〜Ｄは、それぞれ左方に示すスポーツキャップ装着状態に対する各光センサー信号を右方の枠内に示すものである。
図５Ａは、スポーツキャップが正常に装着されている場合で、光センサー６がキャップ基部を検出する少し前に光センサー７がオーバーキャップを検出しており、光センサー８は、光センサー６が検出信号を出している期間中、検出信号を出さない。
この信号状態のときには、判定回路１０から排出機５に排出信号を出さない。
【００１４】
図５Ｂは、破線で示すようにスポーツキャップが装着されていない場合で、光センサー６が容器口部を検出してその検出信号を出している期間中に、光センサー７及び光センサー８は検出信号を出さない。
この信号状態のときには、判定回路１０から排出機５に排出信号を出す。
【００１５】
図５Ｃは、スポーツキャップのキャップ基部は容器に装着されているが、破線で示すようにオーバーキャップが装着されていない場合で、光センサー６が容器口部を検出してその検出信号を出している期間中に、光センサー７が摺動栓を検出するが、その検出信号の開始タイミングは、光センサー６の検出信号の開始時より遅れる。光センサー８は検出信号を出さない。
この信号状態のときには、判定回路１０から排出機５に排出信号を出す。
【００１６】
図５Ｄは、スポーツキャップが装着されているが、破線で示す正常位置から実線で示すようにずれている場合で、光センサー６と光センサー７が検出信号を出すと共に、光センサー８が正常位置よりも浮上がったオーバーキャップを検出してその信号を出す。
この信号状態のときには、判定回路１０から排出機５に排出信号を出す。
【００１７】
【発明の効果】
本発明は、３組の光センサーを使用する簡易な構成の検出機により、スポーツキャップのキャップ基部とオーバーキャップの二つの部材についてその装着の有無と、オーバーキャップについてはその装着のずれの検知も可能となる。
【図面の簡単な説明】
【図１】本発明のスポーツキャップ装着不良容器の検出装置の正面図。
【図２】スポーツキャップの断面図。
【図３】光センサーを使用した検出機の側面図。
【図４】図３のスポーツキャップと光センサーとの説明図。
【図５】スポーツキャップ装着状態に対する各光センサー信号の説明図。
【符号の説明】
Ａ：スポーツキャップ  Ｂ：被検査容器  Ｃ：キャップ基部  Ｄ：摺動栓  Ｅ：オーバーキャップ  １：キャッパー  ２：コンベア  ３：３組の光センサー  ４：検出機  ５：排出機  ６，７，８：光センサー  ９：アンプ  １０：判定回路
【図１】
0003973122.tif 000002
【図２】
0003973122.tif 000003
【図４】
0003973122.tif 000004
【図３】
0003973122.tif 000005
【図５】
0003973122.tif 000006